(57)【要約】【課題】カレンダー用紙に磁石を用いないで密着可能な表示具を実現する。【解決手段】リング状本体（２）の裏面周方向に密着部（３）を形成した、粘着性の大きい軟質合成樹脂材で製作されるものである。【選択図】      図１
2004212630.tif 000002
【特許請求の範囲】
【請求項１】
リング状本体（２）の裏面周方向に密着部（３）を形成した、粘着性の大きい軟質合成樹脂材で製作される表示具。
【請求項２】
密着部（３）は、断面弧状の凹部（４）を裏面周方向に形成したことを特徴とする請求項１に記載の表示具。
【請求項３】
密着部（３）は、円形の所定深さの窪み部（５）を裏面周方向に複数配設したことを特徴とする請求項１に記載の表示具。
【請求項４】
軟質合成樹脂材は、シリコン又はウレタンのいずれかである請求項１に記載の表示具。
【発明の詳細な説明】
【０００１】
【発明の属する技術分野】
本発明は、表示箇所が目立つように、平面部材に貼り付ける表示具に関するものである。
【０００２】
【従来の技術】
従来の平面部材、例えば、磁石が付着する鉄板等付着部材を内部に埋め込み又は裏面に取り付けた壁掛けの表面にマグネット作用を利用した表示具を貼り付けて指示箇所を目立つようにしている。
また、図９のようなカレンダーａの場合は、１年分の暦を月毎の１２枚のカレンダー用紙に印刷し、一辺を糊付けしケース１０に収納している。そして、使用月の暦のカレンダー用紙等平面部材６の裏面にマグネットリング９を密着させる金属板、これと同等の機能を有する付着部材８を差し込み、印刷面７の該当日付にマグネットリング９を配置して磁力で密着させている。
【０００３】
【発明が解決しようとする課題】
上記従来技術では、磁石が付着する鉄板等付着部材を内部に埋め込み又は裏面に取り付けた壁掛けの表面にマグネット作用を利用した表示具を密着させる製品の場合は、製品値段が高くなるという問題点がある。
また、カレンダーａの場合は、付着部材８を該当月のカレンダー用紙等平面部材６の裏面に移動して入れ替えるため、付着部材８の入れ替え作業が面倒であるという欠点があった。
本発明は、上述した問題点に鑑みて創案されたもので、磁石を用いないで平面部材に密着可能な表示具の提供を目的とする。
【０００４】
【課題を解決するための手段】
上記従来技術の課題を解決するための手投として、請求項１の発明に係る表示具は、
リング状本体２の裏面周方向に密着部３を形成した、粘着性の大きい軟質合成樹脂材で製作される表示具である。
【０００５】
また、請求項２の発明に係る表示具では、請求項１に記載の密着部３は、断面弧状の凹部４を裏面周方向に形成したことを特徴としている。
表示具を平面部材に密着させる場合は、本体の表面を軽く指で押圧すると密着部は気圧の変化すなわち、押圧された時密着部内の空気は外部に押出されて密着部内部は外側気圧より減圧され、表示具は平面部材に密着する。
【０００６】
さらに、請求項３の発明に係る表示具では、請求項１に記載の密着部３は、円形の所定深さの窪み部５を裏面周方向に複数配設したことを特徴としている。
請求項２の場合と同様に、本体の表面を軽く指で押圧すると密着部は気圧の変化すなわち、押圧された時密着部内の空気は外部に押出されて密着部内部は外側気圧より減圧され、表示具は平面部材に密着する。
また、周方向に複数の窪み部が配置され、密着部の接触面積が大きいため平面部材に対する密着度は強くなり、平面部材から剥がれ難くなる。
さらに、窪み部は円周方向に間欠的に複数配置されているため、本体の表面全体を押圧しなくても一部を押圧するだけで平面部材に密着可能となる。
【０００７】
また、請求項４の発明に係る表示具では、請求項１に記載の軟質合成樹脂材は、シリコン又はウレタンのいずれかであることを特徴としている。
【０００８】
【発明の実施の形態】
本発明の第１実施例を、図１から図３を参照して説明する。
表示具１は、粘着性の大きい軟質合成樹脂材で、直径２ｃｍ内径１．２ｃｍ程度の大きさのリング状に製作され、本体２の表裏面は平坦面に形成し、該本体２の裏面は粘着力で平面部材６に密着可能な密着部３が形成されている。
また、前記粘着性の大きい軟質合成樹脂材は、シリコン又はウレタン等を用いると軽量で密着度の高い表示具１にできる。そして、本体２の表面を軽く指で押圧すると粘着力で表示具１は平面部材６に密着される。
次に、本発明の第２実施例を図４、図５を参照して説明する。
第２実施例の表示具１は、第１の実施例と同様に、粘着性の大きい軟質合成樹脂材で、直径２ｃｍ内径１．２ｃｍ程度の大きさのリング状に製作され、本体２の表面は平坦面に形成し、該本体２の裏面周方向には密着部３が形成されている。
この密着部３は、断面弧状の凹部４を裏面周方向に形成し、裏面の該凹部４以外は平坦面に形成されている。
図８のように、平面部材６の１形態であるカレンダー用紙に使用した場合は、日付が印刷された印刷面７に表示具１を配置し、本体２の表面を軽く指で押圧すると密着部３に気圧の変化が生じて密着される。すなわち、表示具１表面を押圧すると密着部３内の空気は外部に押出されて密着部３内部は外側気圧より減圧され、表示具１はカレンダー用紙等平面部材６に密着する。
また、前記粘着性の大きい軟質合成樹脂材は、シリコン又はウレタン等を用いると軽量で密着度の高い表示具１にできる。
【０００９】
第３実施例の発明は、図６、図７のように、密着部３は、円形の所定深さの窪み部５を裏面周方向に複数配設され、裏面の該窪み部５以外は平坦面に形成されている。
第２実施例の場合と同様に、本体２の表面を軽く指で押圧すると密着部３に気圧の変化が生じて密着される。すなわち、表示具１表面を押圧すると密着部３内の空気は外部に押出されて密着部３内部は外側気圧より減圧され、表示具１はカレンダー用紙等平面部材６に密着する。
また、第３実施例では、周方向に複数の窪み部５が配置されているため、平面部材６との密着面積は大きくなり、密着度も強くなる。
さらに、窪み部５は円周方向に間欠的に複数配置されているため、本体の表面全体を押圧しなくても一部を押圧するだけでカレンダー用紙等平面部材６に密着可能となる。
これらの実施例の平面部材６は、カレンダー用紙、壁掛け等の表面が平面部材に限られず、その他の表面が平面の平面部材を包含している。
【００１０】
【発明の効果】
上記構成の本発明によれば、以下の効果を奏するものである。
請求項１、２の発明により、表示具の表面を手で軽く押圧するだけで密着部は平面部材に密着し、強い圧力や衝撃が加えられない限り密着状態が維持できる。逆に、表示具を平面部材から剥がす場合は手で持って簡単に引き剥がすことができる。
また、表示具を密着する平面部材の製品は磁石等の付着部材が不要となるため、安価に製造できる。さらに、付着部材の入れ替えが不要となり取扱い上手間を省くことが出来る。
請求項３の発明により、周方向に複数の窪み部が配置されているため平面部材との密着面積は大きくなり、密着度も強く出来る。
請求項４の発明により、表示具は軟質合成樹脂材で製作されているため、非常に軽量であり、しかも柔軟性があるため、取扱いが極めて良好であり、かつ安全である。
【図面の簡単な説明】
【図１】本発明の第１実施例の裏面斜視図である。
【図２】本発明の第１実施例のＡ―Ａ断面図である。
【図３】本発明の第１実施例の表示具を平面部材に密着した時の断面図である。
【図４】本発明の第２実施例の裏面斜視図である。
【図５】本発明の第２実施例のＢ―Ｂ断面図である。
【図６】本発明の第３実施例の裏面斜視図である。
【図７】本発明の第３実施例のＣ―Ｃ断面図である。
【図８】本発明の第２、３実施例の使用状態図である。
【図９】従来のカレンダーの正面図である。
【符号の説明】
１    表示具
２    本体
３    密着部
４    凹部
５    窪み部
６    平面部材
７    印刷面
８    付着部材
９    マグネットリング
１０  ケース
【図１】
2004212630.tif 000003
【図２】
2004212630.tif 000004
【図３】
2004212630.tif 000005
【図４】
2004212630.tif 000006
【図５】
2004212630.tif 000007
【図６】
2004212630.tif 000008
【図７】
2004212630.tif 000009
【図８】
2004212630.tif 000010
【図９】
2004212630.tif 000011